(57)【要約】【課題】高周波信号を長距離伝送した際に減衰しにくく、長距離を引き回す際に曲げて配策しやすい同軸ケーブルを提供する。【解決手段】内部導体２と、内部導体２の周囲を覆う絶縁体３と、樹脂層４１１と樹脂層４１１の一方の面に設けられた金属層４１２とを有し絶縁体３の周囲に巻き付けられたテープ部材４１及びテープ部材４１の外周を覆う編組シールド４２を有する外部導体４と、外部導体４の周囲を覆うシース５と、を備え、内部導体２は、複数の素線２ａを撚り合わせ、かつ、ケーブル長手方向に垂直な断面形状が所定形状となるように圧縮加工された圧縮撚線導体からなり、テープ部材４１の少なくとも一部は、絶縁体３に密着されておらず、金属層４１２を外側として、絶縁体３の周囲に縦添え巻きされている。【選択図】図１
2020136082.tif 000002
【特許請求の範囲】
【請求項１】
内部導体と、
前記内部導体の周囲を覆う絶縁体と、
樹脂層と前記樹脂層の一方の面に設けられた金属層とを有し前記絶縁体の周囲に巻き付けられたテープ部材及び前記テープ部材の外周を覆う編組シールドを有する外部導体と、
前記外部導体の周囲を覆うシースと、を備え、
前記内部導体は、複数の素線を撚り合わせ、かつ、ケーブル長手方向に垂直な断面形状が所定形状となるように圧縮加工された圧縮撚線導体からなり、
前記テープ部材の少なくとも一部は、前記絶縁体に密着されておらず、前記金属層を外側として、前記絶縁体の周囲に縦添え巻きされている、
同軸ケーブル。
【請求項２】
前記外部導体は、前記編組シールドが前記シースと密着しておらず、前記編組シールドを構成する素線同士の間に空気層を有する、
請求項１に記載の同軸ケーブル。
【請求項３】
前記テープ部材は、前記絶縁体との間に内側空気層が形成されるように、前記絶縁体の周囲に縦添え巻きされている、
請求項１または２に記載の同軸ケーブル。
【請求項４】
前記テープ部材の一部が、前記編組シールドの素線間の隙間に入り込むことで、前記内側空気層が形成されている、
請求項３に記載の同軸ケーブル。
【請求項５】
前記テープ部材は、その周方向における一方の端部が、他方の端部の外周に重なるように巻き付けられている、
請求項１乃至４の何れか１項に記載の同軸ケーブル。
【請求項６】
前記編組シールドは、前記テープ部材の周囲に設けられ、第１素線を編み合わせてなる第１編組シールドと、前記第１編組シールドの周囲に設けられ、前記第１素線よりも直径が大きい第２素線を編み合わせてなる第２編組シールドと、を有する、
請求項１乃至５の何れか１項に記載の同軸ケーブル。
【請求項７】
前記テープ部材の前記樹脂層が、フッ素樹脂からなる、
請求項１乃至６の何れか１項に記載の同軸ケーブル。
【発明の詳細な説明】
【技術分野】
【０００１】
本発明は、同軸ケーブルに関する。
【背景技術】
【０００２】
近年、生産性向上対策として人協働型ロボットや小型多関節ロボットの市場が拡大している。このようなロボットに使用されるロボットケーブルとして、ロボットの可動部に配線される可動部用ケーブルと、ロボットと制御機器とを接続する固定部用ケーブルとが用いられている。
【０００３】
なお、この出願の発明に関連する先行技術文献情報としては、特許文献１がある。
【先行技術文献】
【特許文献】
【０００４】
【特許文献１】特許３６７１７２９号公報
【発明の概要】
【発明が解決しようとする課題】
【０００５】
固定部用ケーブルでは、例えば、２５ｍ〜１００ｍ程度の長距離の伝送を行う場合がある。また、近年では、ロボット等に設置されたカメラで撮影された映像信号等の高周波信号（例えば、１０ＭＨｚ〜６ＧＨｚの帯域）を、同軸ケーブルを用いて伝送することが要求されている。そのため、固定部用ケーブルに用いられる同軸ケーブルでは、高周波信号を長距離伝送できる高い伝送特性が要求されている。
【０００６】
このような同軸ケーブルとして、樹脂層上に銅箔を設けた銅テープ等のテープ部材を外部導体に用いたものを適用することが考えられ得る。しかしながら、このような同軸ケーブルにおいて、銅テープ等のテープ部材を螺旋状に巻付けた場合では、所定の周波数帯域（例えば数ＧＨｚの帯域）で急激な減衰が生じるサックアウトと呼ばれる現象が発生してしまう。
【０００７】
また、固定部用ケーブルに用いられる同軸ケーブルとして、特許文献１に示されているような絶縁体の全周囲に当該絶縁体と密着した状態でテープ部材を縦添え巻きしたものを用いた場合では、ロボットから制御機器までの長距離を引き回して配策するときの形状や場所に制約が生じてしまう。例えば、同軸ケーブルを曲げて配策した場合には、曲がりにくい内部導体もしくはテープ部材によってそれらと密着している絶縁体が圧迫される等して、高周波信号の伝送特性が低下してしまう可能性があった。そのため、長距離伝送における良好な高周波信号の伝送特性（減衰特性）と柔軟性（可とう性）とを両立した同軸ケーブルが望まれる。
【０００８】
そこで、本発明は、高周波信号を長距離伝送した際に減衰しにくく、長距離を引き回す際に曲げて配策しやすい同軸ケーブルを提供することを目的とする。
【課題を解決するための手段】
【０００９】
本発明は、上記課題を解決することを目的として、内部導体と、前記内部導体の周囲を覆う絶縁体と、樹脂層と前記樹脂層の一方の面に設けられた金属層とを有し前記絶縁体の周囲に巻き付けられたテープ部材及び前記テープ部材の外周を覆う編組シールドを有する外部導体と、前記外部導体の周囲を覆うシースと、を備え、前記内部導体は、複数の素線を撚り合わせ、かつ、ケーブル長手方向に垂直な断面形状が所定形状となるように圧縮加工された圧縮撚線導体からなり、前記テープ部材の少なくとも一部は、前記絶縁体に密着されておらず、前記金属層を外側として、前記絶縁体の周囲に縦添え巻きされている、同軸ケーブルを提供する。
【発明の効果】
【００１０】
本発明によれば、高周波信号を長距離伝送した際に減衰しにくく、長距離を引き回す際に曲げて配策しやすい同軸ケーブルを提供できる。
【図面の簡単な説明】
【００１１】
【図１】本発明の一実施の形態に係る同軸ケーブルを示す図であり、（ａ）はケーブル長手方向に垂直な断面を示す断面図、（ｂ）はそのＡ部拡大図である。
【図２】テープ部材の長手方向に垂直な断面を示す断面図である。
【図３】可とう性の試験を説明する説明図である。
【発明を実施するための形態】
【００１２】
［実施の形態］
以下、本発明の実施の形態を添付図面にしたがって説明する。
【００１３】
図１は、本実施の形態に係る同軸ケーブルを示す図であり、（ａ）はケーブル長手方向に垂直な断面を示す断面図、（ｂ）はそのＡ部拡大図である。
【００１４】
図１に示すように、同軸ケーブル１は、内部導体２と、内部導体２の周囲を覆う絶縁体３と、絶縁体３の周囲を覆う外部導体４と、外部導体４の周囲を覆うシース５と、を備えている。同軸ケーブル１は、例えば、工場等でロボットと制御機器とを接続する固定部用ケーブルとして用いられるものであり、その長さは例えば２５ｍ〜１００ｍ程度である。
【００１５】
（内部導体２）
本実施の形態に係る同軸ケーブル１では、内部導体２は、複数の素線２ａを撚り合わせ、かつ、ケーブル長手方向に垂直な断面形状が円形状等の所定形状となるように圧縮加工された圧縮撚線導体からなる。本実施の形態では、７本の素線２ａを同心撚りした撚線導体を、当該撚線導体よりも小径でかつ円形状の出口を有するダイスに通して圧縮することで、内部導体２を形成した。中心に配置される素線２ａは、断面視で略六角形状となっており、周囲に配置される６本の素線２ａは、断面視で略扇形状となっている。なお、図１に示す本実施の形態に係る同軸ケーブル１では、断面形状が円形状からなる圧縮撚線導体で内部導体２を構成する例で示したが、断面形状が円形状以外の形状（例えば、四角形状等の多角形状）に圧縮加工された圧縮撚線導体で内部導体２を構成してもよい。内部導体２は、断面形状が円形状からなる圧縮撚線導体であることにより、同軸ケーブル１をいずれの方向にも曲げやすくすることができるため、曲げて配策しやすい。
【００１６】
通常の撚線導体は、単線導体よりも柔軟性を有し曲げやすいものの、素線間に隙間が多いために導電率が低い。本実施の形態のように、内部導体２として圧縮撚線導体を用いることで、素線２ａ同士が密着して素線２ａ間の隙間が無くなるため、導電率が向上し良好な減衰特性が得られると共に、曲げやすさも維持できる。また、圧縮撚線導体は撚線導体であるから、単線導体と比較して曲げたときに断線しにくい。
【００１７】
良好な減衰特性を得るため、内部導体２として用いる圧縮撚線導体の導電率は、９９％ＩＡＣＳ以上とすることが望ましい。本実施の形態では、高い導電率を実現するため、内部導体２の素線２ａとして、めっきを施していない純銅からなる軟銅線を用いた。ただし、導電率９９％ＩＡＣＳ以上のめっきであれば施してもよく、例えば銀めっきを施した軟銅線を素線２ａとして用いてもよい。また、ダイスを通して圧縮することにより素線２ａに歪みが付与され導電率が低下してしまうが、この後、加熱処理（アニール処理）を行うことで、歪みを除去して９９％ＩＡＣＳ以上の導電率を実現することができる。
【００１８】
（絶縁体３）
絶縁体３としては、高周波信号の伝送特性を向上させる（より詳細には、例えば、１０ＭＨｚ〜６ＧＨｚの帯域の高周波信号を長距離伝送した際に減衰しにくくする）ために、なるべく誘電率が低いものを用いることが望ましい。本実施の形態では、絶縁体３として、内部導体２の周囲を覆う発泡樹脂からなる発泡層３１と、発泡層３１の周囲を覆う非発泡樹脂からなる非発泡層３２と、からなるものを用いた。
【００１９】
発泡層３１としては、例えば、照射架橋発泡ポリエチレンからなるものを用いることができる。発泡層３１における発泡度は、４０〜７０とすればよい。発泡層３１の発泡度が４０未満であると、誘電率が大きくなり高周波信号の伝送特性が劣化してしまい、発泡度が７０を超えると発泡層３１が柔らかくなりすぎて、曲げたときなどに同軸ケーブル１に生じる外力により潰れやすくなり、高周波信号の伝送特性が劣化してしまうためである。非発泡層３２としては、発泡層３１の周囲にチューブ押出成形によって形成された非発泡の照射架橋ポリエチレンからなるものを用いることができる。非発泡層３２は、絶縁性を有しながら、発泡層３１を保護する役割と、絶縁体３の外形（断面形状）を円形状に維持する役割とを果たしている。すなわち、非発泡層３２を有することにより、同軸ケーブル１を曲げたときなどに、発泡層３１が潰れてしまうことを防止することができるため、高周波信号の伝送特性が劣化するのを抑制することができる。
【００２０】
（外部導体４）
外部導体４は、絶縁体３の周囲に縦添え巻きされているテープ部材４１と、テープ部材４１の外周を覆う編組シールド４２と、を有している。
【００２１】
（テープ部材４１）
図２は、テープ部材４１の長手方向に垂直な断面を示す断面図である。図１及び図２に示すように、テープ部材４１は、樹脂層４１１と、樹脂層４１１の一方の面に設けられた金属層（金属箔）４１２と、を有している。テープ部材４１は、例えば、ＰＥＴ（ポリエチレンテレフタレート）からなる樹脂層４１１の一方の面に、銅やアルミニウムなどからなる金属層４１２を設けたものからなる。
【００２２】
テープ部材４１の少なくとも一部は、絶縁体３の一部に密着されていない。テープ部材４１は、金属層４１２を外側として、絶縁体３の周囲に縦添え巻きされている。また、テープ部材４１は、絶縁体３の外周に接着固定されていない。テープ部材４１は、その外周に設けられる編組シールド４２によって、巻きがほどけてしまわないように（縦添え巻きが開いて絶縁体３が露出してしまわないように）保持されている。
【００２３】
ここでいう「テープ部材４１の少なくとも一部は、絶縁体３に密着されていない」とは、絶縁体３の周囲に縦添え巻きによって設けられたテープ部材４１の一部又は全部が絶縁体３の表面に接していないことを意味している。具体的には、図１（ｂ）に示すように、絶縁体３の表面からテープ部材４１の内面（絶縁体３の表面に対向する面）までの最大距離ｄが５μｍ以上３０μｍ以下である範囲内で、テープ部材４１が絶縁体３の表面から編組シールド４２側へ浮いている状態をいう。なお、最大距離ｄは、同軸ケーブル１を所定の位置で切断した後、切断した部分の横断面（ケーブル長手方向に垂直な断面）を光学顕微鏡あるいは電子顕微鏡を用いて観察したときに、絶縁体３の表面からテープ部材４１の内面までの直線距離の最大値を測定することによって得られる。
【００２４】
同軸ケーブル１では、テープ部材４１が上述したような状態で絶縁体３の周囲に縦添え巻きで設けられていることにより、同軸ケーブル１を曲げたときに、テープ部材４１が絶縁体３の表面を周方向に沿って移動するように作用するため、曲げによって生じる絶縁体３への応力を緩和し、同軸ケーブル１に柔軟性を付与することができるようになる。その結果、同軸ケーブル１では、同軸ケーブル１が硬くならず、良好な柔軟性（例えば、テープ部材４１を絶縁体３の周囲に螺旋状に巻いて設けてなる同軸ケーブル１よりもたわみやすい柔軟性（可とう性））を有することができる。すなわち、同軸ケーブル１は、長距離伝送において、高周波信号の伝送特性が良好であり、かつ、曲げを有して長距離を引き回すときに配策しやすい。特に、距離ｄが５μｍ以上３０μｍ以下であるときに上述した作用、効果が得られやすい。
【００２５】
したがって、「テープ部材４１の少なくとも一部は、絶縁体３に密着されていない」とは、テープ部材４１の周方向における一方の端部が他方の端部の外周に重なることによってテープ部材４１の周方向の端部付近に絶縁体３に密着されていない部分が生じること、あるいは、同軸ケーブル１に曲げ加工などを施した後に絶縁体３とテープ部材４１との間に形成される空気層によってテープ部材４１が絶縁体３に密着されていない部分が生じることなどを含まない。
【００２６】
なお、同軸ケーブル１を曲げやすくするという観点からは、テープ部材４１を螺旋状に巻き付けた方が好ましい。しかし、この場合、所定の周波数帯域（例えば数ＧＨｚの帯域）で急激な減衰が生じるサックアウトと呼ばれる現象が発生する。本実施の形態では、このようなサックアウトを抑制し、長距離伝送における高周波信号の伝送特性を向上させるため、テープ部材４１を縦添え巻きした構造としている。
【００２７】
樹脂層４１１の厚さｄ１は、９μｍ以上１６μｍ以下とするとよい。厚さｄ１が９μｍ未満であるとテープ部材４１が破れやすくなり、１６μｍを超えると硬くなり同軸ケーブル１を曲げにくくなってしまうためである。金属層４１２の厚さｄ２は、７μｍ以上１１μｍ以下とするとよい。厚さｄ２が７μｍ未満であると屈曲時等に金属層４１２に割れが生じやすくなり、１１μｍを超えると硬くなり同軸ケーブル１を曲げにくくなってしまうためである。本実施の形態では、樹脂層４１１の厚さｄ１を１２μｍ、金属層４１２の厚さｄ２を９μｍとした。
【００２８】
テープ部材４１は、その一部が編組シールド４２の径方向内側に形成された素線間の隙間６（図１（ｂ）参照）に入り込む等して、絶縁体３とテープ部材４１との間に、内側空気層７が形成されている。例えば、図１（ｂ）に示すように、後述する編組シールド４２の第１編組シールド４２１を構成する複数本の第１素線４２１ａ同士の間に隙間６が形成されており、この隙間６に第１編組シールド４２１と接するように設けられたテープ部材４１が入り込む構造となっている。そして、テープ部材４１が隙間６に入り込んだ部分において、絶縁体３とテープ部材４１との間に内側空気層７が設けられている。テープ部材４１は、絶縁体３との間に内側空気層７が形成されるように、絶縁体３の周囲に緩く（絶縁体３の表面と密着させずに）縦添え巻きされている。
【００２９】
例えば、テープ部材４１を絶縁体３の周囲に縦添え巻きするときに、テープ部材４１の内面の一部が絶縁体３の表面に接触しないように緩く縦添え巻きし、次いで、緩く縦添え巻きしたテープ部材４１の外周の全面を、編組シールド４２の第１編組シールド４２１が絶縁体３側に押し付ける（締め付ける）ように、第１編組シールド４２１をテープ部材４１の周囲に設ける。これにより、テープ部材４１の一部が第１編組シールド４２１を構成する第１素線４２１ａ同士の間の隙間６に入り込む構造となり、テープ部材４１が隙間６に入り込んだ部分において、絶縁体３とテープ部材４１との間に内側空気層７を形成することができる。このように構成することで、配策時に同軸ケーブル１を曲げた際等に、テープ部材４１と絶縁体３とがケーブル長手方向あるいはケーブル周方向に対して相対的に動く（滑る）ことが可能になるため、同軸ケーブル１の柔軟性（可とう性）が向上し、同軸ケーブル１が曲げやすくなる。なお、テープ部材４１と第１編組シールド４２１との形成は、同一の製造ライン上で連続して行うことがよい。
【００３０】
テープ部材４１と絶縁体３間の滑りをより良くするために、テープ部材４１の樹脂層４１１を、フッ素樹脂で構成してもよい。また、樹脂層４１１は、内部導体２と金属層４１２間に位置し、伝送特性に寄与するために、なるべく誘電率が低いことが望ましい。誘電率が低く樹脂層４１１に好適なフッ素樹脂としては、ＰＴＦＥ（ポリテトラフルオロエチレン）が挙げられる。ＰＴＦＥからなる樹脂層４１１を有するテープ部材４１を用いることで、より曲げやすく、より高周波信号の伝送特性に優れた同軸ケーブル１を実現できる。
【００３１】
また、例えばテープ部材４１が絶縁体３に接着される等して、絶縁体３にきつく巻かれている（密着している）と、同軸ケーブル１を曲げた際にテープ部材４１が突っ張って曲げにくくなったり、曲げによりテープ部材４１が破断してしまったりするおそれが生じる。また、この場合では、同軸ケーブル１を曲げたときに、絶縁体３にクラックが生じること、あるいは編組シールド４２を構成する素線の配置が乱れて素線が断線すること等のおそれがある。本実施の形態のように、テープ部材４１を絶縁体３の周囲に緩く巻き付けることで、同軸ケーブル１をより曲げやすくなり、同軸ケーブル１を曲げた際のテープ部材４１の破断も抑制でき、さらに、絶縁体３にクラックが生じることや編組シールド４２を構成する素線が断線すること等を防止することができる。
【００３２】
同軸ケーブル１を曲げた際に、テープ部材４１が開いて（縦添え巻きがほどけて）絶縁体３が露出してしまわないように、テープ部材４１は、その周方向における一方の端部が、他方の端部の外周に重なるように縦添え巻きされているとよい。つまり、テープ部材４１の長手方向に垂直な幅ｗは、絶縁体３の外周の長さよりも大きいとよい。より具体的には、テープ部材４１の幅ｗは、絶縁体３の外周の長さの１．３倍以上１．７倍未満であることが望ましい。テープ部材４１の幅ｗが絶縁体３の外周の長さの１．３倍未満であると、同軸ケーブル１を曲げた際にテープ部材４１が開いて絶縁体３が露出してしまうおそれがあり、絶縁体３の外周の長さの１．７倍を超えると、重なり部分が多くなり過ぎ同軸ケーブル１が硬く曲げにくくなってしまうおそれがあるためである。また、テープ部材４１の幅ｗを、絶縁体３の外周の長さの１．３倍以上１．７倍未満とすることにより、複数本の第１素線４２１ａ同士の間に形成された隙間６に、第１編組シールド４２１と接するように設けられたテープ部材４１が入り込みやすくなり、絶縁体３とテープ部材４１との間に内側空気層７を設けるのに有効である。
【００３３】
（編組シールド４２）
編組シールド４２は、テープ部材４１の周囲に設けられ、第１素線４２１ａを編み合わせてなる第１編組シールド４２１と、第１編組シールド４２１の周囲に設けられ、第１素線４２１ａよりも外径が大きい第２素線４２２ａを編み合わせてなる第２編組シールド４２２と、を有している。編組シールド４２は、例えば、上述したように、絶縁体３の周囲に緩く縦添え巻きされたテープ部材４２の周囲に、複数の素線４２１ａを編み組みして第１編組シールド４２１を設け、さらに、第１編組シールド４２１の周囲に、複数の素線４２２ａを編み組みして第２編組シールド４２２を第１編組シールド４２１に接触するように設けることによって形成することができる。第１編組シールド４２１と第２編組シールド４２２との形成は、同一の製造ラインで連続して行うことでもよく、又は別々の製造ライン上で行うことでもよい。
【００３４】
外側に設けられる第２編組シールド４２２は、主に外部からのノイズを遮蔽するためのものである。同軸ケーブル１は、例えば工場等で用いられるものであり、ロボットや制御機器等を駆動させるモータのオンオフによる低周波ノイズ等のエネルギーの大きいノイズの影響を受ける。そのため、第２編組シールド４２２では、外径の大きい第２素線４２２ａを用い、導体抵抗を低くすることが望ましい。
【００３５】
これに対して、内側に設けられる第１編組シールド４２１は、主に内部の信号が外部へと放射されることを抑制するためのものである。同軸ケーブル１は、例えば１０ＭＨｚ〜６ＧＨｚの高周波信号を伝送するため、編組シールドの網目（素線間の隙間）が大きいと、信号が外部へと放射されやすくなる。そのため、第１編組シールド４２１では、外径の小さい第１素線４２１ａを用い、網目を小さくすることが望ましい。また、第１編組シールド４２１の第１素線４２１ａの外径を大きくすると、同軸ケーブル１を曲げにくくなってしまう。
【００３６】
より具体的には、第１素線４２１ａの外径は、曲げやすさと網目の細かさを実現するため、０．０８ｍｍ以上０．１４ｍｍ以下であるとよい。また、第２素線４２２ａの外径は、曲げやすさと小さい導体抵抗とを実現するため、０．１０ｍｍ以上０．１６ｍｍ以下であるとよい。また、第１編組シールド４２１と第２編組シールド４２２のそれぞれの機能を明確とするために、第１素線４２１ａの外径は、第２素線４２２ａの外径の９０％以下にするとよい。ここでは、第１素線４２１ａの外径を０．１２ｍｍとし、第２素線４２２ａの外径を０．１４ｍｍとした。
【００３７】
（シース５）
シース５は、ＰＶＣ（ポリ塩化ビニル）、ウレタン、あるいはポリオレフィン等の絶縁樹脂から構成される。シース５は、押出成形により形成されるが、充実成形を行うと、シース５を構成する樹脂が編組シールド４２の素線４２２ａ間に入り込んでしまい、同軸ケーブル１が硬く曲げにくくなってしまう。そこで、本実施の形態では、シース５をチューブ押出により成形した。これにより、シース５を構成する樹脂が編組シールド４２の素線４２２ａ間に入り込むことが抑制され、シース５と編組シールド４２とが分離される。つまり、本実施の形態では、シース５と編組シールド４２とが密着しておらず、編組シールド４２を構成する素線４２２ａ同士の間に空気層８が形成されている。このように構成することで、シース５内で編組シールド４２が比較的自由に動けるようになり、同軸ケーブル１が曲げやすくなる。
【００３８】
（同軸ケーブル１の特性）
本発明による実施例１の同軸ケーブル１を上述した製造方法によって作製し、減衰特性を測定した。実施例１の同軸ケーブル１では、特性インピーダンスは７５Ωとし、絶縁体３の表面から縦添え巻きしてなるテープ部材４１の内面までの距離ｄは５μｍ以上３０μｍ以下の範囲とし、外径は７．６５ｍｍとした。比較のため、内部導体として通常の撚線導体を用い、テープ部材を螺旋状に巻き回した以外は実施例１と略同様の構成の比較例１の同軸ケーブルを作製し、減衰特性を測定した。実施例１及び比較例１の測定結果を表１に示す。
【００３９】
【表１】
2020136082.tif 000003
【００４０】
表１に示すように、実施例１の同軸ケーブル１は、０．６２５ＧＨｚ帯での減衰特性が０．１７ｄＢ／ｍ、１．２５ＧＨｚ帯での減衰特性が０．２８ｄＢ／ｍ、６ＧＨｚ帯での減衰特性が０．８２ｄＢ／ｍと、非常に良好な減衰特性が実現されていることが分かる。これに対して、比較例１の同軸ケーブルでは、サックアウトの影響も受けるために、０．６２５ＧＨｚ帯での減衰特性が０．４９ｄＢ／ｍ、１．２５ＧＨｚ帯での減衰特性が１．４１ｄＢ／ｍ、６ＧＨｚ帯での減衰特性が１．５８ｄＢ／ｍと、非常に減衰の大きい特性となっている。
【００４１】
次に、本発明による実施例２の同軸ケーブル１を実施例１の同軸ケーブルと同様に作製し、可とう性について試験を行った。実施例２の同軸ケーブル１では、絶縁体３の表面から縦添え巻きしてなるテープ部材４１の内面までの距離ｄは５μｍ以上３０μｍ以下の範囲とした。図３に示すように、可とう性の試験では、同軸ケーブル１の一端部を台座９１に固定し、他端を台座９１から１０００ｍｍ付き出し、自重で吊り下げたときの、同軸ケーブル１のたわみ量を測定した。たわみ量は、台座９１の表面から３００ｍｍ下方の位置における、台座９１から同軸ケーブル１までの距離とした。同軸ケーブル１には曲り癖が付与されることを考慮し、曲り癖が付与されている方向（曲がり癖方向）とその逆方向について、それぞれたわみ量を測定した。
【００４２】
比較のために、内部導体の構成を変更し、かつ、テープ部材を絶縁体の周囲に密着するように縦添え巻きして設けた比較例２，３を作成し、同様の試験を行った。比較例２では内部導体２を単線導体とし、比較例３では内部導体２を撚線導体とした。実施例２、比較例２，３のいずれにおいても、導体断面積は０．８２ｍｍ２とし、特性インピーダンスは７５Ωとした。可とう性の試験結果を表２にまとめて示す。
【００４３】
【表２】
2020136082.tif 000004
【００４４】
表２に示すように、本発明による実施例２の同軸ケーブル１は、曲り癖方向とその逆方向共に、たわみ量が１５０ｍｍ以下と小さく、良好な可とう性が得られていることが分かる。これに対して、単線導体を用い絶縁体とテープ部材とを密着させた比較例２では、曲り癖方向とその逆方向共に、たわみ量が２００ｍｍ以上となっており、十分な可とう性が得られていない。比較例２では、撚線導体を用いることで、比較例２と比較して若干たわみ量が小さくなっているものの、密着して巻かれているテープ部材４１の影響により、たわみ量は１８０ｍｍ以上と大きくなっている。このように、本発明による同軸ケーブル１は、良好な減衰特性と、良好な可とう性とを共に実現している。
【００４５】
（実施の形態の作用及び効果）
以上説明したように、本実施の形態に係る同軸ケーブル１では、内部導体２は、複数の素線２ａを撚り合わせ、かつ、ケーブル長手方向に垂直な断面形状が所定形状となるように圧縮加工された圧縮撚線導体からなり、テープ部材４１の少なくとも一部は、絶縁体３に密着されておらず、金属層４１２を外側として、絶縁体３の周囲に縦添え巻きされている。
【００４６】
内部導体２を圧縮撚線導体で構成し、テープ部材４１を絶縁体３の周囲に緩く（絶縁体３の表面と密着させずに）縦添え巻きし、かつ、シース５をチューブ押出により形成して編組シールド４２と密着しないようにすることで、同軸ケーブル１の高周波信号の伝送特性（減衰特性）を向上させることができ、また、同軸ケーブル１の可とう性を向上して曲げやすくすることができる。その結果、高周波信号を長距離伝送した際に減衰しにくく、長距離を引き回す際に曲げて配策しやすい同軸ケーブル１を実現できる。
【００４７】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００４８】
［１］内部導体（２）と、前記内部導体（２）の周囲を覆う絶縁体（３）と、樹脂層（４１１）と前記樹脂層（４１１）の一方の面に設けられた金属層（４１２）とを有し前記絶縁体（３）の周囲に巻き付けられたテープ部材（４１）及び前記テープ部材（４１）の外周を覆う編組シールド（４２）を有する外部導体（４）と、前記外部導体（４）の周囲を覆うシース（５）と、を備え、前記内部導体（２）は、複数の素線（２ａ）を撚り合わせ、かつ、ケーブル長手方向に垂直な断面形状が所定形状となるように圧縮加工された圧縮撚線導体からなり、前記テープ部材（４１）の少なくとも一部は、前記絶縁体（３）に密着されておらず、前記金属層（４１２）を外側として、前記絶縁体（３）の周囲に縦添え巻きされている、同軸ケーブル（１）。
【００４９】
［２］前記外部導体（４）は、前記編組シールド（４２）が前記シース（５）と密着しておらず、前記編組シールド（４２）を構成する素線（４２２ａ）同士の間に空気層（８）を有する、［１］に記載の同軸ケーブル（１）。
【００５０】
［３］前記テープ部材（４１）は、前記絶縁体（３）との間に内側空気層（７）が形成されるように、前記絶縁体（３）の周囲に縦添え巻きされている、［１］または［２］に記載の同軸ケーブル（１）。
【００５１】
［４］前記テープ部材（４１）の一部が、前記編組シールド（４２）の素線（４２１ａ）間の隙間（６）に入り込むことで、前記空気層（７）が形成されている、［３］に記載の同軸ケーブル。
【００５２】
［５］前記テープ部材（４１）は、その周方向における一方の端部が、他方の端部の外周に重なるように巻き付けられている、［１］乃至［４］の何れか１項に記載の同軸ケーブル（１）。
【００５３】
［６］前記編組シールド（４２）は、前記テープ部材（４１）の周囲に設けられ、第１素線（４２１ａ）を編み合わせてなる第１編組シールド（４２１）と、前記第１編組シールド（４２１）の周囲に設けられ、前記第１素線（４２１ａ）よりも直径が大きい第２素線（４２２ａ）を編み合わせてなる第２編組シールド（４２２）と、を有する、［１］乃至［５］の何れか１項に記載の同軸ケーブル（１）。
【００５４】
［７］前記テープ部材（４１）の前記樹脂層（４１１）が、フッ素樹脂からなる、［１］乃至［６］の何れか１項に記載の同軸ケーブル（１）。
【００５５】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００５６】
また、本発明は、その趣旨を逸脱しない範囲で適宜変形して実施することが可能である。
【符号の説明】
【００５７】
１…同軸ケーブル
２…内部導体
２ａ…素線
３…絶縁体
４…外部導体
４１…テープ部材
４１１…樹脂層
４１２…金属層
４２…編組シールド
４２１…第１編組シールド
４２１ａ…第１素線
４２２…第２編組シールド
４２２ａ…第２素線
５…シース
７…内側空気層
８…空気層
【図１】
2020136082.tif 000005
【図２】
2020136082.tif 000006
【図３】
2020136082.tif 000007
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
内部導体と、
前記内部導体の周囲を覆う絶縁体と、
樹脂層と前記樹脂層の一方の面に設けられた金属層とを有し前記絶縁体の周囲に巻き付けられたテープ部材及び前記テープ部材の外周を覆う編組シールドを有する外部導体と、
前記外部導体の周囲を覆うシースと、を備え、
前記内部導体は、複数の素線を撚り合わせ、かつ、ケーブル長手方向に垂直な断面形状が所定形状となるように圧縮加工された圧縮撚線導体からなり、
前記テープ部材の少なくとも一部は、前記編組シールドの素線間の隙間に入り込むことによって前記絶縁体との間に内側空気層を有し、前記内側空気層において、前記絶縁体の表面から前記テープ部材の内面までの最大距離が５μｍ以上３０μｍ以下である範囲内で、前記絶縁体の表面から前記編組シールド側へ浮いており、
前記テープ部材は、前記金属層を外側として、前記絶縁体の周囲に縦添え巻きされている、
同軸ケーブル。
【請求項２】
前記外部導体は、前記編組シールドが前記シースと密着しておらず、前記編組シールドを構成する素線同士の間に空気層を有する、
請求項１に記載の同軸ケーブル。
【請求項３】
前記テープ部材は、その周方向における一方の端部が、他方の端部の外周に重なるように巻き付けられている、
請求項１または２に記載の同軸ケーブル。
【請求項４】
前記編組シールドは、前記テープ部材の周囲に設けられ、第１素線を編み合わせてなる第１編組シールドと、前記第１編組シールドの周囲に設けられ、前記第１素線よりも直径が大きい第２素線を編み合わせてなる第２編組シールドと、を有する、
請求項１乃至３の何れか１項に記載の同軸ケーブル。
【請求項５】
前記テープ部材の前記樹脂層が、フッ素樹脂からなる、
請求項１乃至４の何れか１項に記載の同軸ケーブル。
【手続補正２】
【補正対象書類名】明細書
【補正対象項目名】０００９
【補正方法】変更
【補正の内容】
【０００９】
本発明は、上記課題を解決することを目的として、内部導体と、前記内部導体の周囲を覆う絶縁体と、樹脂層と前記樹脂層の一方の面に設けられた金属層とを有し前記絶縁体の周囲に巻き付けられたテープ部材及び前記テープ部材の外周を覆う編組シールドを有する外部導体と、前記外部導体の周囲を覆うシースと、を備え、前記内部導体は、複数の素線を撚り合わせ、かつ、ケーブル長手方向に垂直な断面形状が所定形状となるように圧縮加工された圧縮撚線導体からなり、前記テープ部材の少なくとも一部は、前記編組シールドの素線間の隙間に入り込むことによって前記絶縁体との間に内側空気層を有し、前記内側空気層において、前記絶縁体の表面から前記テープ部材の内面までの最大距離が５μｍ以上３０μｍ以下である範囲内で、前記絶縁体の表面から前記編組シールド側へ浮いており、前記テープ部材は、前記金属層を外側として、前記絶縁体の周囲に縦添え巻きされている、同軸ケーブルを提供する。